(57)【要約】【課題】コストダウンと小型・軽量化が実現できる無線通信装置の装置構造を提供する。【解決手段】ＲＦユニット部品用彫り込み平板１４は、ＲＦユニット基板１３に取り付けられているＲＦユニット部品の形に合わせた彫り込みが施されている。ＲＦユニット基板１３に取り付けられているＲＦユニット部品のうちの発熱部品を、熱伝導シートを介してＲＦユニット部品用彫り込み平板１４に接触させた状態で、ＲＦユニット基板１３がＲＦユニット部品用彫り込み平板１４の上に取り付けられ、筐体ケース１０の内部底面にＲＦユニット部品用彫り込み平板１４が取り付けられる。さらに、ＲＦユニット基板１３の上には、デュプレクサー１２が配置される。【選択図】図３
2012165053.tif 000002
【特許請求の範囲】
【請求項１】
ＲＦユニット部品が取り付けられたＲＦユニット基板を筐体内に備える無線通信装置において、
前記ＲＦユニット部品の形に合わせた彫り込みが施されているＲＦユニット部品用彫り込み平板を備え、
前記ＲＦユニット基板を、前記ＲＦユニット部品用彫り込み平板を介して前記筐体に直接取り付けた構造を有することを特徴とする無線通信装置。
【請求項２】
前記ＲＦユニット部品用彫り込み平板は、前記筐体と一体に成形されていることを特徴とする請求項１に記載の無線通信装置。
【発明の詳細な説明】
【技術分野】
【０００１】
本発明は、小型の基地局等の無線通信装置に関する。
【背景技術】
【０００２】
基地局装置のＲＦユニットの取り付け構造は、デジタル処理部、デュプレクサー、パワーアンプ等をアルミニウムのケースに入れて、それをさらに基地局筐体に取り付けた構造である（例えば、特許文献１参照）。図７は、従来の基地局装置の側面図であり、図８は、図７に示すＣ−Ｃ線矢視方向の断面図である。基地局装置３に取り付けられるＲＦユニットを部分組み立てしたケース３１は、筐体ケース３０と同じアルミニウムでできており、従来の基地局装置の構造は、ＲＦユニットをアルミニウムのケースで二重に覆うような構造となっている。また、ＲＦユニットを部分組み立てしたケース３１は、厚さが２〜３ｍｍであって基地局筐体ケース３０とほぼ同じ厚さである。
【先行技術文献】
【特許文献】
【０００３】
【特許文献１】特開２０００−１６５２８３号公報
【発明の概要】
【発明が解決しようとする課題】
【０００４】
従来の基地局装置は、デジタル処理部、デュプレクサー、パワーアンプ等のＲＦユニットをアルミニウムのケースに部分組立した上で、そのケースを基地局装置の筐体内に取り付けた構造であった。そのため、そのケースの分、サイズと重量が大きくなってしまい、また、部品点数が多くなってしまうという問題があった。また、コストの面でもアルミニウムのケースの材料分だけ高くなるという問題があった。
【０００５】
本発明は、このような問題点に鑑みてなされたものであり、本発明の目的は、コストダウンと小型・軽量化が実現できる無線通信装置を提供することにある。
【課題を解決するための手段】
【０００６】
上記目的を達成するため、本発明は、ＲＦユニット部品が取り付けられたＲＦユニット基板を筐体内に備える無線通信装置において、前記ＲＦユニット部品の形に合わせた彫り込みが施されているＲＦユニット部品用彫り込み平板を備え、前記ＲＦユニット基板を、前記ＲＦユニット部品用彫り込み平板を介して前記筐体に直接取り付けた構造を有することを特徴とする。
【０００７】
前記ＲＦユニット部品用彫り込み平板は、前記筐体と一体に成形されていることが好ましい。
【発明の効果】
【０００８】
本発明は、ＲＦユニット部品が取り付けられたＲＦユニット基板を、ＲＦユニット部品用彫り込み平板を介して、または直接に装置筐体に取り付ける構造とすることにより、装置部材が減るため、無線通信装置の小型化と軽量化、部材費のコストの低減を実現することができる。
【図面の簡単な説明】
【０００９】
【図１】本発明の第１の実施形態に係る装置構造を有する基地局装置の側面図である。
【図２】図１に示すＡ−Ａ線矢視方向の断面図である。
【図３】デュプレクサーと、ＲＦユニット基板と、ＲＦユニット部品用彫り込み平板の基地局装置の筐体への取り付け構造を示す斜視図である。
【図４】本発明の第２の実施形態に係る装置構造を有する基地局装置の側面図である。
【図５】図４に示すＢ−Ｂ線矢視方向の断面図である。
【図６】デュプレクサーと、ＲＦユニット基板の基地局装置の筐体ケースへの取り付け構造を示す斜視図である。
【図７】従来の基地局装置の側面図である。
【図８】図７に示すＣ−Ｃ線矢視方向の断面図である。
【発明を実施するための形態】
【００１０】
本発明の実施の形態について、図面を参照して説明する。図１は、本発明の第１の実施形態に係る装置構造を有する基地局装置の側面図であり、図２は、図１に示すＡ−Ａ線矢視方向の断面図である。第１の実施形態に係る基地局装置１（無線通信装置）は、筐体ケース１０に有線通信回線やネットワークケーブル等が接続されるコネクタ４が設けられており、筐体ケース１０の内部に、ベースバンド部としてのデジタル基板１１と、送信信号経路と受信信号経路とを分離する分波器としてのデュプレクサー１２と、送信部・受信部としてのＲＦユニット基板１３と、ＲＦユニット部品用彫り込み平板１４とを備えている。
【００１１】
図３は、デュプレクサー１２と、ＲＦユニット基板１３と、ＲＦユニット部品用彫り込み平板１４の基地局装置の筐体への取り付け構造を示す斜視図である。ＲＦユニット基板１３は、デジタル処理部、パワーアンプ等を含み、基板面にはＲＦユニット部品が取り付けられている。ＲＦユニット部品用彫り込み平板１４は、放熱用の加工が施された、厚さが２〜３ｍｍのアルミニウムの板であり、ＲＦユニット基板１３に取り付けられているＲＦユニット部品の形に合わせた彫り込みが施されている。
【００１２】
第１の実施形態では、ＲＦユニット基板１３に取り付けられているＲＦユニット部品のうちの発熱部品を、熱伝導シートを介してＲＦユニット部品用彫り込み平板１４に接触させた状態で、ＲＦユニット基板１３がＲＦユニット部品用彫り込み平板１４の上に取り付けられ、さらに、筐体ケース１０の内部底面にＲＦユニット部品用彫り込み平板１４が取り付けられる。さらに、ＲＦユニット基板１３の上には、デュプレクサー１２が配置される。
【００１３】
このように、第１の実施形態では、ＲＦユニットを部分組立したアルミケースを廃し、ＲＦユニット部品が取り付けられたＲＦユニット基板をＲＦユニット部品用彫り込み平板を介して基地局筐体に直接取り付ける構造にすることにより、装置部材が減るため、基地局装置の小型化と軽量化、部材費のコストの低減を実現することができる。
【００１４】
図４は、本発明の第２の実施形態に係る装置構造を有する基地局装置の側面図であり、図５は、図４に示すＢ−Ｂ線矢視方向の断面図である。第２の実施形態は、第１の実施形態の筐体ケース１０とＲＦユニット部品用彫り込み平板１４とを一体化させたものである。第２の実施形態に係る基地局装置２は、筐体ケース２０の内部に、ベースバンド部としてのデジタル基板１１と、送信信号経路と受信信号経路とを分離する分波器としてのデュプレクサー１２と、送信部・受信部としてのＲＦユニット基板１３とを備えている。
【００１５】
図６は、デュプレクサー１２と、ＲＦユニット基板１３の基地局装置の筐体ケース２０への取り付け構造を示す斜視図である。ＲＦユニット基板１３は、デジタル処理部、パワーアンプ等を含み、基板面にはＲＦユニット部品が取り付けられている。筐体ケース２０の内部底面には、放熱用の加工が施され、ＲＦユニット基板１３に取り付けられているＲＦユニット部品の形に合わせた彫り込みが施されている。筐体ケース２０の底部の厚さは２〜３ｍｍである。
【００１６】
第２の実施形態では、ＲＦユニット基板１３に取り付けられているＲＦユニット部品のうちの発熱部品を、熱伝導シートを介して筐体ケース２０の底部に接触させた状態で、ＲＦユニット基板１３が筐体ケース２０の底部の上に取り付けられる。さらに、ＲＦユニット基板１３の上には、デュプレクサー１２が配置される。
【００１７】
このように、第２の実施形態では、ＲＦユニットを部分組立したアルミケースを廃し、ＲＦユニット部品が取り付けられたＲＦユニット基板を、ＲＦユニット部品用彫り込みが施された基地局筐体に直接取り付ける構造にすることにより、装置部材が減るため、基地局装置の小型化と軽量化、部材費のコストの低減を実現することができる。
【符号の説明】
【００１８】
１、２、３  基地局装置
４  コネクタ
１０、２０、３０  筐体ケース
１１  デジタル基板
１２  デュプレクサー
１３  ＲＦユニット基板
１４  ＲＦユニット部品用彫り込み平板
３１  ケース
【図１】
2012165053.tif 000003
【図２】
2012165053.tif 000004
【図３】
2012165053.tif 000005
【図４】
2012165053.tif 000006
【図５】
2012165053.tif 000007
【図６】
2012165053.tif 000008
【図７】
2012165053.tif 000009
【図８】
2012165053.tif 000010